(57)【要約】【課題】本発明は、厚さ及び幅寸法の異なる２種類のカード部材を、補助部材を使わなくともカード装着部に装着可能なカード用コネクタ装置を提供すること。【解決手段】本発明のカード用コネクタ装置は、スライダー１４に、カード装着部に装着した第１または第２カード部材１９、２０の一方の側縁部１９ｄ、２０ｄ近傍にスライド可能に配設し、スライダー１４は、カード挿入口６ｂから遠い側の奥側に第１装着部に装着した第１カード部材１９の前端部１９ａ側が当接可能な第１当接部１４ｂを形成し、カード挿入口６ｂから近い側の手前側に第２装着部に挿入した第２カード部材２０の前端部２０ａ側が当接可能な第２当接部１４ｇを形成し、第２装着部は、第１装着部に挿入する第１カード部材１９が第２当接部１４ｇに当接しない方向に位置ズレさせた。【選択図】　　　　図１
2004062715.tif 000002
【特許請求の範囲】
【請求項１】
幅広肉厚な第１カード部材または幅狭肉薄な第２カード部材を挿入可能なハウジングと、このハウジングに形成したカード挿入口と、前記第１または第２カード部材を前記カード挿入口から挿入して装着可能な前記ハウジング内部に形成したカード装着部と、このカード装着部への前記第１または第２カード部材の着脱に連動して前記第１または第２カード部材の着脱方向と同方向にスライド可能なスライダーとを備え、
前記カード装着部は、前記第１カード部材を装着可能な第１装着部と、この第１装着部の領域を一部含む部分に形成した前記第２カード部材を装着可能な第２装着部とを有し、前記スライダーは、前記カード装着部に装着した前記第１または第２カード部材の一方の側縁部近傍に前記スライド可能に配設し、
前記スライダーは、前記カード挿入口から遠い側の奥側に前記第１装着部に装着した前記第１カード部材の前端部側が当接可能な第１当接部を形成し、前記カード挿入口から近い側の手前側に前記第２装着部に挿入した前記第２カードの前端部側が当接可能な第２当接部を形成し、前記第２装着部は、前記第１装着部に挿入する前記第１カード部材が前記第２当接部に当接しない方向に位置ズレさせたことを特徴とするカード用コネクタ装置。
【請求項２】
前記第１カード部材は、前記第２カード部材より長く形成され、前記第１または前記第２カード部材を前記カード装着部に装着したカード装着状態において、前記カード挿入口から前記ハウジング外部に突出する突出量がほぼ同じになるような位置に前記第１当接部と前記第２当接部とを形成したことを特徴とする請求項１記載のカード用コネクタ装置。
【請求項３】
前記スライダーをカード排出方向に付勢する付勢部材と、この付勢部材の付勢力に抗して前記スライダーの動きを規制可能なカム機構とを備え、前記カード装着状態における前記スライダーは、前記カム機構で動きが規制されてロック可能とし、前記カード装着状態において、第１または第２カード部材を一旦押圧することにより、前記スライダーの前記ロックが解除されて、前記スライダーを介して前記カード装着状態の前記第１または第２カード部材が前記カード装着部から排出されるようにしたことを特徴とする請求項１または２のいずれかに記載のカード用コネクタ装置。
【請求項４】
前記カム機構は、前記ハウジングに形成したハート型のカム溝と、一端部が前記スライダーに支持され他端部が前記カム溝に沿って巡回摺動可能な摺動部材とからなることを特徴とする請求項３記載のカード用コネクタ装置。
【請求項５】
前記摺動部材は、線材の両端部を同方向に直角状に折り曲げて前記一端部と他端部とを形成したことを特徴とする請求項４記載のカード用コネクタ装置。
【請求項６】
前記スライダーには、前記摺動部材の前記他端部を前記カム溝の底面に弾性付勢可能な板バネを配設したことを特徴とする請求項４、または５記載のカード用コネクタ装置。
【請求項７】
前記第１カード部材の一方の側縁部には第１凹部を形成し、前記第２カード部材の一方の側縁部には第２凹部を形成し、前記スライダーには、前記奥側に前記第１凹部に弾性係合可能な第１係合部と、前記手前側に前記第２凹部に弾性係合可能な第２係合部とをそれぞれ形成したことを特徴とする請求項１乃至６のいずれかに記載のカード用コネクタ装置。
【請求項８】
前記第２係合部は、前記第１装着部に挿入する前記第１カード部材が当接しない方向に位置ズレさせたことを特徴とする請求項７記載のカード用コネクタ装置。
【請求項９】
前記第１及び第２係合部は、前記摺動部材を弾性付勢する前記板バネの一部を折り曲げて形成したことを特徴とする請求項７または８記載のカード用コネクタ装置。
【発明の詳細な説明】
【０００１】
【発明の属する技術分野】
本発明はカード用コネクタ装置に係わり、特にパーソナルコンピュータ等の記憶媒体に用いられるＩＣカードや、デジタルカメラ等の電子機器に使用されるメモリーカード等に書き込み、または読み出し可能なカード用コネクタ装置に関する。
【０００２】
【従来の技術】
パーソナルコンピュータ（以後ＰＣと称する）やデジタルカメラ等の電子機器の増設記録装置として、内部にＩＣ（集積回路）を埋設したＩＣカードに、種々の情報の書き込み、あるいは読み出しを行うためにカード用コネクタ装置が一般的に用いられている。　このような従来のカード用コネクタ装置の記録媒体としてはＰＣカードやメモリーカード等の小型のカード部材が広く使用されるようになってきている。
【０００３】
このようなカード部材を装着可能なカード用コネクタ装置は、カード部材に対して必要な情報の書き込み、あるいは読み取りを行えるようになっているが、近年の小型のカード部材においては、厚さ寸法あるいは幅寸法が異なる種々のカード部材が開発されている。
これら種々のカード部材に対応してカード用コネクタ装置も多種類のものが開発されている。
このような従来のカード用コネクタ装置は、１種類のカード部材しか使用できなかった。
【０００４】
【特許文献】
特開２００２−７５５３４号公報
【０００５】
【発明が解決しようとする課題】
上述したような従来のカード用コネクタ装置は、寸法の異なるカード部材の種類に対応して、それぞれ異なる種類を準備しようとすると、カード用コネクタ装置を搭載する電子機器が大型化する問題があった。
この対策として、幅広で肉厚な第１カード部材を装着可能なカード装着部をカード用コネクタ装置に形成しておき、第１カード部材より幅狭で薄肉の第２カード部材を、幅寸法及び厚さ寸法が第１カード部材と同じに形成した補助部材（アダプタ）に仮止めし、この補助部材をカード装着部に装着可能なカード用コネクタ装置が提案されている。
【０００６】
しかし、このような２種類のカード部材が装着可能なカード用コネクタ装置は、第２カード部材を仮止めするための補助部材が必要になり、部品点数が増加する問題があった。また、第２カード部材を補助部材に仮止めしてからカード装着部に装着しなければならず、第２カード部材を装着するときの作業性が悪かった。
本発明は前述したような問題点に鑑みてなされたもので、厚さ及び幅寸法の異なる２種類のカード部材を、補助部材を使わなくともカード装着部に装着可能なカード用コネクタ装置を提供することを目的とする。
【０００７】
【課題を解決するための手段】
上記課題を解決するための第１の解決手段として本発明のカード用コネクタ装置は、幅広肉厚な第１カード部材または幅狭肉薄な第２カード部材を挿入可能なハウジングと、このハウジングに形成したカード挿入口と、前記第１または第２カード部材を前記カード挿入口から挿入して装着可能な前記ハウジング内部に形成したカード装着部と、このカード装着部への前記第１または第２カード部材の着脱に連動して前記第１または第２カード部材の着脱方向と同方向にスライド可能なスライダーとを備え、
前記カード装着部は、前記第１カード部材を装着可能な第１装着部と、この第１装着部の領域を一部含む部分に形成した前記第２カード部材を装着可能な第２装着部とを有し、前記スライダーは、前記カード装着部に装着した前記第１または第２カード部材の一方の側縁部近傍に前記スライド可能に配設し、
前記スライダーは、前記カード挿入口から遠い側の奥側に前記第１装着部に装着した前記第１カード部材の前端部側が当接可能な第１当接部を形成し、前記挿入口から近い側の手前側に前記第２装着部に挿入した前記第２カードの前端部側が当接可能な第２当接部を形成し、前記第２装着部は、前記第１装着部に挿入する前記第１カード部材が前記第２当接部に当接しない方向に位置ズレさせたことを特徴とする。
【０００８】
また、上記課題を解決するための第２の解決手段として、前記第１カード部材は、前記第２カード部材より長く形成され、前記第１または前記第２カード部材を前記カード装着部に装着したカード装着状態において、前記カード挿入口から前記ハウジング外部に突出する突出量がほぼ同じになるような位置に前記第１当接部と前記第２当接部とを形成したことを特徴とする。
【０００９】
また、上記課題を解決するための第３の解決手段として、前記スライダーをカード排出方向に付勢する付勢部材と、この付勢部材の付勢力に抗して前記スライダーの動きを規制可能なカム機構とを備え、前記カード装着状態における前記スライダーは、前記カム機構で動きが規制されてロック可能とし、前記カード装着状態において、第１または第２カード部材を一旦押圧することにより、前記スライダーの前記ロックが解除されて、前記スライダーを介して前記カード装着状態の前記第１または第２カード部材が前記カード装着部から排出されるようにしたことを特徴とする。
【００１０】
また、上記課題を解決するための第４の解決手段として、前記カム機構は、前記ハウジングに形成したハート型のカム溝と、一端部が前記スライダーに支持され他端部が前記カム溝に沿って巡回摺動可能な摺動部材とからなることを特徴とする。
【００１１】
また、上記課題を解決するための第５の解決手段として、前記摺動部材は、線材の両端部を同方向に直角状に折り曲げて前記一端部と他端部とを形成したことを特徴とする。
【００１２】
また、上記課題を解決するための第６の解決手段として、前記スライダーには、前記摺動部材の前記他端部を前記カム溝の底面に弾性付勢可能な板バネを配設したことを特徴とする。
【００１３】
また、上記課題を解決するための第７の解決手段として、前記第１カード部材の一方の側縁部には第１凹部を形成し、前記第２カード部材の一方の側縁部には第２凹部を形成し、前記スライダーには、前記奥側に前記第１凹部に弾性係合可能な第１係合部と、前記手前側に前記第２凹部に弾性係合可能な第２係合部とをそれぞれ形成したことを特徴とする。
【００１４】
また、上記課題を解決するための第８の解決手段として、前記第２係合部は、前記第１装着部に挿入する前記第１カード部材が当接しない方向に位置ズレさせたことを特徴とする。
【００１５】
また、上記課題を解決するための第９の解決手段として、前記第１及び第２係合部は、前記摺動部材を弾性付勢する前記板バネの一部を折り曲げて形成したことを特徴とする。
【００１６】
【発明の実施の形態】
以下、本発明の実施の形態のカード用コネクタ装置を図１〜図６０に基づいて説明する。図１〜図３は本発明のカード用コネクタ装置の構成を説明する図であり、図４〜図１１は本発明に係わるハウジングを説明する図であり、図１２〜図１４は本発明に係わる第１端子部材を説明する図であり、図１５〜図１７は本発明に係わる第２端子部材を説明する図であり、図１８〜図２１は本発明に係わる第１ガイド部材を説明する図であり、図２２〜図２３は本発明に係わる第２ガイド部材を説明する図であり、図２４〜図２６は本発明に係わる第１弾性部材を説明する図であり、図２７〜図２９は本発明に係わる第３ガイド部材を説明する図であり、図３０、３１は本発明に係わる第２弾性部材を説明する図であり、図３２〜図３５は本発明に係わるスライダーを説明する図であり、図３６は本発明に係わる摺動部材を説明する図であり、図３７、３８は、本発明に係わる板バネを説明する図であり、図３９、４０は本発明に係わるカバーを説明する図であり、図４１は本発明に係わる第１カード部材を説明する図であり、図４２は本発明に係わる第２カード部材を説明する図であり、図４３〜図５１は本発明に係わる第１カード部材の装着動作を説明する図であり、図５２〜図６０は本発明に係わる第２カード部材の装着動作を説明する図である。
【００１７】
まず、本発明の１実施の形態のカード用コネクタ装置１は、樹脂材料等の絶縁材で形成されたハウジング２が、図１に示すように、外形が略矩形状に形成されて配設されている。このハウジング２は、図５に示すように、図示上部の奥側が凹み形成されて所定厚さの後部底壁２ａが設けられている。
この後部底壁２ａの図示上端部で最奥部に後側壁２ｂが形成され、この後側壁２ｂは図示右側が厚く形成され、図示左側が薄く形成されている。そして図示右側の後側壁２ｂのコーナ部から下方側に延びて右側壁２ｃが形成され、この右側壁２ｃと対向する図示左側の後側壁２ｂのコーナ部から下方に延びて左側壁２ｄが形成されている。
また、後部底壁２ａは、図示下方側である手前側に所定形状の開口部２ｅが形成されて一部が開放されている。
【００１８】
また、図７に示すように、左側壁２ｄの内側には、この左側壁２ｄに沿って所定深さの第１ガイド溝２ｆが形成され、この第１ガイド溝２ｆの右隣に第１ガイド溝２ｆより浅い第２ガイド溝２ｇが形成され、この第２ガイド溝２ｇの右側にガイド壁２ｈが突出形成されている。
また、第１ガイド溝２ｆの図示下方には、図９、図１０に示すような、所定の幅寸法で略ハート型のカム溝３が形成されている。このカム溝３の中央部には、図８に示すように、略ハート型の凸部３ａが突出形成され、この凸部３ａによってカム溝３が左右２本に別れて略ハート型に形成されている。
前記凸部３ａは、図９に示す上部側に、後述する摺動部材１５が当接可能なロック部３ｂが形成されている。
【００１９】
また、カム溝３には後述する摺動部材１５が弾接した状態で摺動可能な、高さの異なる複数の底面が形成されている。このカム溝３の底面は、図９、図１０に示すように、下方側に平坦状のＡ面が形成され、このＡ面と接する図示上部側で凸部３ａの左側には、Ａ面から除々に高くなる傾斜状のＢ面が形成されている。また、Ｂ面と接する図示上部側には、Ａ面より高さが高い平坦状のＣ面が形成され、このＣ面と接する図示上部側には、Ｃ面より高さが低い平坦状のＤ面が形成されている。
また、Ｄ面と接する図示下方右側で凸部３ａのロック部３ｂが形成された部分には、Ｄ面より高さが低い平坦状のＥ面が形成され、このＥ面と接する図示右側には、Ｅ面より高さが低い平坦状のＦ面が形成され、Ｄ面、Ｅ面、Ｆ面が階段状に順番に低くなっている。
【００２０】
また、Ｆ面と接する図示下方側で凸部３ａの右側には、Ｆ面から徐々に高くなる傾斜状のＧ面が形成され、Ｇ面と接する図示下方側には、Ｆ面より高さが高い平坦状のＨ面が形成され、このＨ面と接する図示下方側にＨ面より高さが低いＡ面が形成されている。
即ち、初期位置であるＡ面に後述する摺動部材１５を弾接させた状態で、図示下方側に常時付勢されている付勢力に抗して摺動部材１５を押圧して、図示上方側に移動させると、摺動部材１５は、傾斜状のＢ面を駆け昇って、Ｃ面からＤ面に位置する。
【００２１】
この状態で、摺動部材１５に加えていた押圧を解除すると、摺動部材１５は、Ｄ面からＥ面に移動して、ロック部３ｂに当接し、摺動部材１５の動きが規制されてロック可能になっている。
その後、再度摺動部材１５を、一旦図示上方側に押圧すると、摺動部材１５はＥ面を図示右方向に移動してＦ面に位置し、この状態で　摺動部材１５の押圧を解除すると、下方向への付勢力で、摺動部材１５は、傾斜状のＧ面を駆け昇ってＨ面に位置し、このＨ面から初期位置であるＡ面に位置するようになっている。
【００２２】
また、ハウジング２の後部底壁２ａには、端子ガイド部４が形成されている。この端子ガイド部４は、後述する第１端子部材７を挿入可能な複数の幅狭で縦長な端子挿入孔４ａが、図１１に示すように、後側壁２ｂの一部を含む後部底壁２ａに所定の幅と長さで貫通形成されている。
また、図１１に示す端子ガイド部４は、端子挿通孔４ａの図示下端部に、鈎状の端子支持部４ｂが所定高さに突出形成されている。また、図１１に示す後側壁２ｂの端子挿入孔４ａの上端部には、幅狭の端子支持溝４ｃが形成されている。また、図５に示す縦長状の複数の端子挿入孔４ａに挟まれた間には、樹脂材料が充填されて後述する第２端子部材８を埋設可能な桟部４ｄが形成されている。
【００２３】
また、ハウジング２は、前方側である開口部２ｅの図示下部側に、後部底壁２ａと底面を一にして、後部底壁２ａよりも厚さが薄い前部底壁２ｊが形成されている。　また、図５に示す前部底壁２ｊの右側には、後述する第２カード部材２０の幅方向をガイド可能な第３ガイド部材１２を支持可能なガイド支持部５が右側壁２ｃより図示右側に所定量出っ張って形成されている。
また、ガイド支持部５は、右側壁２ｃの図示下方端部と交わる部分より下方側に、アール状のガイド部５ａが形成され、このガイド部５ａでハウジング２内部に挿入される後述する第１カード部材１９を案内可能になっている。
【００２４】
また、ガイド支持部５は、右側壁２ｃより外側にＬ字状の側壁５ｂが形成され、この側壁５ｂの内側に幅狭のＬ字状の溝からなる板バネガイド溝５ｃ形成されている。また、板バネガイド溝５ｃが形成された図示下方側には、後述する第３ガイド部材１２を収納可能な収納部５ｄが形成され、この収納部５ｄは側壁５ｂが所定高さで削除されて右側が開放されている。
また、ガイド部５ａの図示下方側には、後述する第１ガイド部材９を回動自在に支持可能な第１支持部５ｅが形成され、収納部５ｄの図示下方側には、後述する第２ガイド部材１０の支軸１０ｃを回動自在に支持可能な第２支持部５ｆが形成されている。
【００２５】
また、図５に示すハウジング２の下端部には、左右の側壁２ｃ、２ｄより若干高く形成された前側壁６が形成され、この前側壁６の略中央部が切り欠きされて底面６ａを有するカード挿入口６ｂが形成されている。
このカード挿入口６ｂは、図６に示すように、左側の前側壁６が階段状に形成されて、図示下方側が後述する第１カード部材１９をガイド可能な第１ガイド壁６ｃが形成され、この第１ガイド壁６ｃの上部に後述する第２カード部材２０をガイド可能な第２ガイド壁６ｄが階段状に形成されている。
【００２６】
また、図５に示す第１ガイド面６ｃには、開口部２ｅの下端部近傍に後述する第１ガイド部材９の支軸９ｆを支持可能な第１支持孔６ｅが所定深さで形成され、手前側の底面６ａ近傍に後述する第２ガイド部材１０を支持可能な第２支持孔６ｆが所定深さで形成されている。
また、それぞれの側壁２ｂ、２ｃ、２ｄ、５ｂには、後述するカバー部材１７をスナップ係合するための複数のスナップ突起２ｋが形成されている。
また、ハウジング２の前部底壁２ｊには、後述する第１弾性部材１１を取り付けるための一対の取付突起２ｍ、２ｍが突出形成されている。
また、図５に示す前側壁６の右側のコーナ部の内側に、後述する第３ガイド部材１２の支軸１２ｄを回動自在に支持可能なＬ字状の支持部６ｇが形成されている。
【００２７】
また、ハウジング２の端子ガイド部４の端子挿入孔４ａには、金属板からなる複数の第１端子部材７が挿入されて等間隔に並列されている。
前記第１端子部材７は、図１３、図１４に示すように、上部側にはハウジング２の後側壁２ｂから外部に引き出される端子部７ａが形成されている。また、端子部７ａを所定値から略直角に折り曲げて、端子部７ａより幅広の図１２に示すような、支持部７ａが形成され、この支持部７ｂから略直角に下方に折り曲げて腕部７ｃが延長形成されている。
この腕部７ｃの図示下方の先端部７ｄ寄りには、湾曲状に膨らませた接点部７ｅが形成されている。
【００２８】
このような第１端子部材７は、ハウジング２の端子ガイド部４に組み付けるまでは、２点鎖線で示すような金属板７ｆに接続されてそれぞれが一体化されている。
そして、金属板７ｆに接続された第１端子部材７は、ハウジング２の端子挿通孔４ａに腕部７ｃ、接点部７ｅを挿入すると共に支持部７ｂを端子支持溝４ｃに圧入すると、図２に示すように、端子部７ａがハウジング２の後側壁２ｂから外部に引き出され、先端部７ｄが鈎状の端子支持部４ｂに弾接してハウジング２に組み付けされる。
このハウジング２に組付け後の第１端子部材７は、金属板７ｆの接続部分を切断治具等で切断することで、ハウジング２にそれぞれが分離された状態で組み付けすることができる。
【００２９】
また、ハウジング２の後部側壁２ａには金属板からなる複数の第２端子部材８が埋設されている。この第２端子部材８は、図１に示すように、複数の第１端子部材７の第１端子部７ａ間の桟部４ｄに埋設されると共に、開口部２ｅ内に露出して延長形成されている。
前記第２端子部材８は、図１５〜図１７に示すように、上端部側に幅狭の端子部８ａが形成され、上端部から所定寸法図示下方位置で端子部８ａを階段状に折り曲げて端子部８ａと同じ幅狭の第１埋設部８ｂが延長形成されている。
また、第１埋設部８ｂの下部には図示左斜め下方に延びる第２埋設部８ｃが形成され、この第２埋設部８ｃから下方に延長して腕部８ｄが形成されている。
この腕部８ｄは、第１埋設部８ｂより幅広に形成され、図示下方の先端部８ｅ側には、円弧状に湾曲させた接点部８ｆが形成されている。
前記腕部８ｄは、図２に示すように、開口部２ｅから露出した部分から斜め上方に折り曲げされ、接点部８ｆ及び先端部８ｅが開口部２ｅから所定量持ち上がった状態になっている。
【００３０】
前記ハウジング２に埋設する前の複数の第２端子部材８は、第１端子部材７と同様に２点鎖線で示すような金属板８ｇに接続されて一体化されている。
このような金属板８ｇに接続された第２端子部材８は、第１埋設部８ｂがハウジング２に形成した複数の桟部４ｄにインサート成型等で埋設されている。　　また、第２埋設部８ｃは、図１に示すように、後部底壁２ａに埋設され、腕部８ｄが開口部２ｅ内に延長形成されている。
そして、開口部２ｅ内に延長形成された第２端子部材８の複数の先端部８ｅは、図２に示すように、第１ガイド部材９にそれぞれが支持されて、隣り合う第２端子部材８同士の接触を防止している。
【００３１】
前記第１ガイド部材９を図１８〜図２１に基づいて説明すると、第１ガイド部材９は樹脂材料等で形成され、平面視の形状が略矩形状になっている。
そして、第１ガイド部材９は、表面の第１平面９ａと第２平面９ｂとが略くの字状に折れ曲がって形成され、この第１平面９ａと第２平面９ｂとが段差部９ｃで連結されている。また、図１８に示す第２平面９ｂの右端部には角柱状の腕部９ｄが第２平面９ｂより上方に延長形成され、第２平面９ｂの左端部上部には、腕部９ｄと同じ高さで支持部９ｅが形成されている。
【００３２】
また、第１平面９ａの図示左右の下端部から外方に突出する円柱状の支軸９ｆ、９ｆが形成されている。また、第１ガイド部材９の裏面９ｇは平坦状に形成され、この裏面９ｇの上端部側には、図２１に示すように、第２端子部材８の先端部８ｅの動きを規制可能な複数のガイド溝９ｈが、複数の第２端子部材８と同じピッチ寸法で形成されている。
また、ガイド溝９ｈを形成した部分の第２平面９ｂ側には、ガイド溝９ｈの数に対応して複数の肉盛り部９ｊが形成されている。
このような第１ガイド部材９は、図示左側の一方の支軸９ｆがハウジング２の第１ガイド壁６ｃの支持孔６ｅに支持され、図示右側の他方の支軸９ｆが第１支持部５ｅに支持されて、開口部２ｅ内を回動自在になっている。
また、第１ガイド部材９は、第２端子部材８及び後述する第１弾性部材１１の弾性力で、ハウジング２のそれぞれの底壁２ａ、２ｊと平行な線Ｋに対して、所定の角度上方に回動した状態でハウジング２に支持されるようになっている。
【００３３】
また、図１に示す第１ガイド部材９の下方側には、図２２、２３に示すような、第２ガイド部材１０が配設されている。この第２ガイド部材１０は、樹脂材料からなり、板状のカード摺接部１０ａが矩形状に形成され、このカード摺接部１０ａの図示右側上部のコーナ部には、略４５°に傾斜した規制溝１０ｂが所定の幅と深さで設けられている。
また、カード摺接部１０ａの図示下端部の左右からは、外向きに円柱状の支軸１０ｃ、１０ｃが突出形成されている。
【００３４】
このような第２ガイド部材１０は、図示左側の一方の支軸１０ｃがハウジング２の第１ガイド壁６ｃの第２支持孔６ｅに支持され、図示右側の他方の支軸１０ｃが第２支持部５ｆに支持されて、カード摺接部１０ａが前部底壁２ｊ上を回動自在になっている。
また、第２ガイド部材１０は、後述する第１弾性部材１１の付勢力で、図２３Ｂに示すように、支軸１０ｃを支点として上方に回動可能になっている。
【００３５】
また、ハウジング２に回動自在に支持された第２ガイド部材１０と前部底壁２ｊとの間には、第２ガイド部材１０ａを上方に付勢するための板バネからなる第１弾性部材１１が配設されている。
前記第１弾性部材１１を図２４〜図２６に基づいて説明すると、第１弾性部材１１は、図２４に示すように、横長状の基部１１ａを有し、この基部１１ａの左右両端部側には、ハウジング２の取付突起２ｍに嵌合可能な一対の取付孔１１ｂが形成されている。
【００３６】
また、基部１１ａの略中央部から上方側に、所定寸法突出する突部１１ｃが形成され、この突部１１ｃの根元部分から左右斜め上方に延長する一対の第１アーム部１１ｄ、１１ｄが形成されている。
また、基部１１ａの右側端部からは、基部１１ａと直交する図示上方側に延長して第２アーム部１１ｅが形成されている。
そして、第１アーム部１１ｄは、図２６に示すように、突部１１ｃの根元部分から角度αで上方に折り曲げられ、第２アーム部１１ｅは、基部１１ａから所定寸法上方の位置で、図２５に示すように、角度βで上方に折り曲げられている。
【００３７】
このような第１弾性部材１１は、ハウジング２の前部底壁２ｊに形成した取付突起２ｍに取付孔１１ｂを嵌合させて、取付突起２ｍをカシメ付けることにより、ハウジング２に一体化されて取り付けられている。
そして、図２に示すように、第１弾性部材１１の第２アーム部１１ｅ上に第１ガイド部材９の腕部９ｄが載置されて、第１ガイド部材８が上方側に弾性付勢されて回動可能になっている。
また、第１弾性部材１１の一対の第１アーム部１１ｄ上にカード摺接部１０ａが載置されて、第２ガイド部材１０が上方側に弾性付勢されて回動可能になっている。
【００３８】
また、図５に示すハウジング２のガイド支持部５の収納部５ｄには、第３ガイド部材１２が回動自在に支持されている。この第３ガイド部材１２を図２７〜図２９に基づいて説明すると、第３ガイド部材１２は、樹脂材料からなり、図２７に示すように、上面視の形状が逆くの字状に形成され、基部１２ａと、この基部１２ａから左斜め上方に延長して腕部１２ｂとが形成され、この腕部１２ｂの先端部が基部１２ａと平行なガイド面１２ｃが平坦状に形成されている。
また、図２８に示す基部１２ａの下端部の左右から外方に円柱状の支軸１２ｄ、１２ｄが突出形成されている。
また、第３ガイド部材１２は、基部１２ａ及び腕部１２ｂの一方の面１２ｅが平坦状に形成され、基部１２ａの他方の面は平坦状の第１平面１２ｆが形成されている。
また、腕部１２ｂの他方の面は、第１平面１２ｆに接続された傾斜面１２ｈと平坦状の第２平面１２ｇとが形成され、第２平面１２ｇは、第１平面１２ｆより低くなっている。
【００３９】
このような第３ガイド部材１２は、図２９に示す下方の支軸１２ｄがハウジング２のＬ字状の支持部６ｇに支持され、上方の支軸１２ｄが後述するカバー１７の切り欠き部１７ｈに支持されて、回動自在になっている。
このような第３ガイド部材１２は、第２ガイド部材１０をハウジング２に組み付け後に、ガイド支持部５に支持することにより、第１弾性部材１１で上方に付勢された第２ガイド部材１０の規制溝１０ｂに位置して、動きが規制されるようになっている。
【００４０】
また、第３ガイド部材１２は、図２７に示す基部１２ａの右側面を第２弾性部材１３に弾性付勢されて、支軸１２ｄを支点として反時計回り方向に回動可能になっている。
前記第２弾性部材１３は、図３０、３１に示すように、所定厚さの１枚の板バネからなり、略Ｌ字状に折り曲げ形成された基部１３ａと、この基部１３ａから図示下方側に延びる第１腕部１３ｂと、基部１３ａから第１腕部１３ｂと同方向に延びる第１腕部１３ｂより幅広で長さが短い第２腕部１３ｃとがスリット溝１３ｄで分離されている。
【００４１】
また、第１腕部１３の先端部には、第３ガイド部材１２の基部１２ａの右側面に弾接可能な付勢部１３ｅが形成され、第２腕部１３ｃは、下部を左側に折り曲げて、第１ガイド部材９の他方の支軸９ｆを下方に押しつけてハウジング２に支持可能な支持部１３ｆが形成されている。
このような第２弾性部材１３は、ハウジング２に第１、第２、第３ガイド部材９、１０、１２を組み付けた状態で、基部１３ａをハウジング２の板バネガイド溝５ｃに挿入すると、片持ち梁状の付勢部１３ｅが第３ガイド部材１２の基部１２ａ弾性付勢するようになっている。
そして、第３ガイド部材１２が反時計回り方向に付勢されて、第２ガイド部材１０の規制溝１０ｂに位置することにより、第３ガイド部材１２の動きが規制することができる。
【００４２】
また、図５に示すハウジング２の左側壁２ｄ側に形成された第１ガイド溝２ｆには、樹脂材料からなるスライダー１４が図示上下方向にスライド可能に配設されている。
前記スライダー１４を図３２〜図３５に基づいて説明すると、スライダー１４は、樹脂材料からなり、図３３に示すように、上下方向に延びる断面が角柱状の基部１４ａを有し、この基部１４ａの上端部からは、右方向に向けて後述する第１カード部材１９の前端部１９ａ側が当接可能な第１当接部１４ｂが突出形成されている。
前記第１当接部１４ｂが突出する根元部分の基部１４ａには、幅狭状の角孔１４ｃが貫通形成されている。また、図３３に示す基部１４ａの下端部側には、所定深さで彫り込み形成された線材支持部１４ｄが形成され、この線材支持部１４ｄには、後述する線材からなる摺動部材１５を回動自在に支持可能な支持孔１４ｅが貫通形成されている。
【００４３】
また、線材支持部１４ｄの図示右側には、所定深さと幅寸法のスリット状の板バネ支持溝１４ｆが形成され、この板バネ支持溝１４ｆを挟んで、後述する第２カード部材２０の裏面２０ｂに形成した当接部２０ｇが当接可能な第２当接部１４ｇが図示下方側に突出形成されている。
また、基部１４ａの線材支持部１４ｄを形成した部分の裏面側には、所定高さのガイド突起１４ｊが突出形成されている。
このガイド突起１４ｊには、後述するコイルバネからなる付勢部材１８の端部が当接可能なバネ当接面１４ｋが形成されて、スライダー１４を常時一方向に弾性付勢するようになっている。
【００４４】
また、第２当接部１４ｇが形成された部分の裏面１４ｍは、図３５に示すように階段状に形成され、この階段状の第２当接部１４ｇの裏面１４ｍから基部１４ａの側面までが寸法Ｐで形成されている。
また、図３３に示す基部１４ａの右側面には、所定寸法の切り込み部１４ｎが形成されている。また、図３３に示す第２当接部１４ｇの右側面が、後述する第１カード部材１９の一方の側縁部１９ｄを摺動ガイド可能なガイド面１４ｐとなっている。
即ち、ガイド面１４ｐに沿って挿入される後述する第１カード部材１９は、第１当接部１４ｂより図示左側に位置ズレして形成されいる第２当接部１４ｇにぶつからないようになっている。
このようなスライダー１４は、ガイド突起１４ｊが第１ガイド溝２ｆに位置し、裏面１４ｍが第２ガイド溝２ｇに位置し、寸法Ｐの部分が、ハウジング２の左側壁２ｄとガイド壁２ｈとにガイドされて、左側壁２ｄに沿ってスライド移動可能になっている。
【００４５】
また、スライダー１４の支持孔１４ｅには、ピアノ線等の線材からなる摺動部材１５が支持されている。この摺動部材１５は、線材からなる縦長状の基部１５ａの両端部を直角状に同方向に折り曲げて、一端部１５ｂと他端部１５ｃとが形成されている。
そして、一端部１５ｂをスライダー１４の支持孔１４ｅに支持し、他端部１５ｃをハウジング２のカム溝３に位置させて、上方から後述する板バネ１６で摺動部材１５を下方側に弾性付勢した状態で、スライダー１４を上下方向にスライドさせると、他端部１５ｃがカム溝３の底面に沿って巡回摺動するようになっている。このような摺動部材１５と、ハウジング２に形成したカム溝３とによって、スライダー１４の動きを規制可能なカム機構が構成されている。
【００４６】
また、スライダー１４の基部１４ａ上には、図３７、３８に示すように折り曲げ形成した板バネ１６が取り付けられている。この板バネ１６は、ステンレス板等の弾性を有する１枚の金属板からなり、スライダー１４の基部１４ａ上に載置可能な平坦状の載置部１６ａと、この載置部１６ａの図示上端部側を直角状に一方側に折り曲げて、スライダー１４の角孔１４ｃに嵌合可能な突起部１６ｂとが形成されている。
また、載置部１６ａの下方側には、スライダー１４の支持孔１４ｅに支持した摺動部材１５をカム溝３の底面に弾性付勢するための、舌片状の線材付勢部１６ｃが延長形成されている。
【００４７】
また、載置部１６ａの上端部には、載置部１６ａと直交する方向に折り曲げられて上部延出部１６ｄが形成され、この上部延出部１６ｄから図示下方側に延長して縦長状の第１腕部１６ｅが形成されている。
この第１腕部１６ｅの下端部寄りが鈎状に折り曲げられて、後述する第１カード部材１９の第１凹部１９ｅが係合可能な第１係合部１６ｆが形成されている。また、線材付勢部１６ｃの右隣には、載置部１６ａから下方側に延びる下部延出部１６ｇが形成され、この下部延出部１６ｇを第１腕部１６ｅと同方向に直角状に折り曲げて、線材付勢部１６ｃよりも下方側に長い第２腕部１６ｈが形成されている。
【００４８】
そして、第２腕部１６ｈの下端部寄りが第１係合部１６ｆと略同形状の鈎状に折り曲げられて、後述する第２カード部材２０の第２凹部２０ｅが係合可能な第２係合部１６ｊが形成されている。
前記第２係合部１６ｊは、図３８に示すように、第１係合部１６ｆから寸法Ｒ図示左側に位置ズレして形成されている。そのために、ハウジング２内部に挿入した後述する第１カード部材１９の一方の側縁部１９ｄが、第２係合部１６ｊに当接することがない。
【００４９】
また、ハウジング２の上方には、ハウジング２の上方を遮蔽するカバー１７が配設されている。このカバー１７は、隣青銅板等の弾性を有する金属板からなり、図３９、４０に示すように、ハウジング２の大きさと略同じ大きさで平坦状の遮蔽部１７ａが形成され、この遮蔽部１７ａの左右を互いに対向するように直角に折り曲げて側板１７ｂ、１７ｂを形成し、この側板には、ハウジング２の複数のスナップ突起２ｋがスナップ係合可能な複数の角孔１７ｃが形成されている。また、カバー１７の遮蔽部１７ａは、図示上方の奥側を側板１７ｂと同方向に折り曲げて奥側板１７ｄが形成され、図示下方の前方側が斜め上方に折り曲げられて、カードガイド部１７ｅが形成されている。
【００５０】
また、平坦状の遮蔽部１７ａには、図示上下方向に縦長状の２本の第１リブ１７ｆが形成されている。
また、２本の第１リブ１７ｆに挟まれた部分には、２本の第１リブ１７ｆと直交する横方向に２本の第２リブ１７ｇが形成れている。前記２本の第１リブ１７ｆによって、ハウジング２内部に挿入される後述する第１または第２カード部材１９、２０の遮蔽部１７ａとの接触面積を小さくして挿入抵抗を小さくするようになっている。
また、第２リブ１７ｇによって、第１または第２カード部材１９、２０、と第１、第２端子部材７、８との接触を確実にするようになっている。
また、カードガイド部１７ｅの図示右側の切り欠き部１７ｈで、第３ガイド部材１２の支軸１２ｄを回動支持可能になっている。また、左右の側板１７ｂからは、それぞれ２個の半田付け脚１７ｊが突出形成されている。
【００５１】
前記ハウジング２の上方を遮蔽するカバー１７によって、図２に示すように、下方側の前側壁６の底面６ａ上に形成したカード挿入口６ｂの上方が遮蔽されると共に、内部に後述する第１、第２カード部材１９、２０を装着可能なカード装着部（図示せず）が形成される。このカード装着部は、後述する第１カード部材１９を装着可能な第１装着部（図示せず）と、後述する第２カード部材２０を装着可能な第２装着部（図示せず）とからなっている。
また、ハウジング２に取り付けたカバー１７によって、板バネ１６を支持したスライダー１４が、図３に示すように、図示上下方向にスライド可能となる。
この時のスライダー１４は、第１ガイド溝２ｆに位置させたコイルバネからなる付勢部材１８がガイド突起１４ｊに弾接して、図示下方のカード挿入口６ｂ方向に常時弾性付勢されている。
また、同時に板バネ１６がカバー１７に摺接することにより、板バネ１６の線材付勢部１６ｃが摺動部材１５を、下方側に弾性付勢するようになっている。
【００５２】
また、カード装着部の第１装着に装着される第１カード部材１９は、図４１に示すように、後述する第２カード部材２０より幅広肉厚に形成され、長さも第２カード部材２０より長く形成されている。
このような第１カード部材１９は、前端部１９ａ側の裏面１９ｂに第１端子部材７の接点部７ｅに接触可能な複数の接触部１９ｃが露出して整列形成されている。また、図４１Ｃの左側の一方の側縁部１９ｄの前端部１９ａ寄りには、スライダー１４に取り付けられた板バネ１６の第１係合部１６ｆに係合可能な第１凹部１９ｅが所定深さと幅寸法で形成されている。
また、前端部１９ａの一方のコーナ部１９ｆが斜めに面取り状にカットされて、前端部１９ａが非対称に形成されている。そのために、第１カード部材１９をカード装着部に挿入するときの逆挿入を防止するようになっている。
また、一方の側縁部１９ｄと対向する側に他方の側縁部１９ｇが形成されている。
【００５３】
また、カード装着部の第２装着に装着される第２カード部材２０は、図４２に示すように、第１カード部材１９より幅狭肉薄に形成され、長さが第１カード部材２０より短く形成されている。
このような第２カード部材２０は、前端部２０ａ側の裏面２０ｂに第２端子部材８の接点部８ｆが接触可能な複数の接触部２０ｃが露出して整列形成されている。また、図４２Ｃの左側の一方の側縁部２０ｄの前端部２０ａ寄りには、スライダー１４に取り付けた板バネ１６の第２係合部１６ｊに係合可能な第２凹部２０ｅが所定深さと幅寸法で形成されている。
また、前端部２０ａの一方のコーナ部２０ｆが斜めに面取り状にカットされて、前端部２０ａが非対称に形成されている。
そのために、第２カード部材２０をカード装着部に挿入するときの逆挿入を防止するようになっている。
また、コーナ部２０ｆと一方の側縁部２０ｄとが交わる部分の裏面２０ｂ側には、スライダー１４の第２当接部１４ｇに当接可能な当接部２０ｇが形成されている。
また、一方の側縁部２０ｄと対向する側に他方の側縁部２０ｈが形成されている。
【００５４】
このような構成の本発明のカード用コネクタ装置１は、図２に示すように、第１ガイド部材９が第１弾性部材１１の第２アーム部１１ｅと第２端子部材８との付勢力でカバー１７側に回動している。
また、第２ガイド部材１０は、第１弾性部材１０の第１アーム部１１ｄの付勢力でカバー１７側に回動している。
また、第３ガイド部材１２は、図１に示すように、第２弾性部材１３に弾性付勢され、腕部１２ｂが第２ガイド部材１０の規制溝１０ｂに位置した状態の初期位置で動きが規制されている。
また、本発明のカード用コネクタ装置１におけるスライダー１４は、コイルバネからなる付勢部材１８の付勢力で、ガイド突起１４ｊが図５に示すハウジング２の第１ガイド溝２ｆの前端部に当接した初期位置で停止している。
【００５５】
前述したような本発明のカード用コネクタ装置１に、第１カード部材１９を装着する動作を図４３〜図５１に基づいて説明すると、まず、第１カード部材１９の前端部１９ａをカード挿入口６ｂに挿入する。
この時の第１カード部材１９は、一方の側縁部１９ｄがハウジング２の第１ガイド壁６ｃに案内され、他方の側縁部１９ｇが図示上方の前側壁６に案内されて幅方向がガイドされている。
そして、カード挿入口６ｂから挿入する第１カード部材１９は、裏面１９ｂが底面６ａ上に位置し、上面がカバー１７の２本の第１リブ１７ｆに摺接しながら矢印方向のハウジング２内部のカード装着部方向に挿入される。
【００５６】
この挿入に伴って、厚さが厚肉に形成された第１カード部材１９の前端部１９ａに押圧された第２ガイド部材１０が、図４４に示すように、第１弾性部材１１の付勢力に抗して下方に回動して略水平状態となる。
このことにより、第２ガイド部材１０の規制溝１０ｂに位置して動きが規制されていた第３ガイド部材１２が、規制溝１０ｂから外れる。
すると、第３ガイド部材１２は、第１カード部材１９の他方の側縁部１９ｇで腕部１２ｂが押され、第２弾性部材１２の付勢力に抗して支軸１２ｂを支点として時計回り方向に回動し、図４３に示すように、ハウジング２に形成した収納部５ｄに腕部１２ｂが位置する。
【００５７】
また、挿入される第１カード部材１９の一方の側縁部１９ｄが、板バネ１６の第１係合部１６ｆを押圧すると、第１係合部１６ｆは、第１腕部１６ｅが弾性変形してスライダー１４の切り欠き部１４ｎに逃げる。
この時、板バネ１６の第２係合部１６ｊは、第１係合部１６ｆより図示下方側に位置ズレしているので、第１ガイド壁６ｃにガイドされて挿入される第１カード部材１９の一方の側縁部１９ｄが接することがない。そのために、第１カード部材１９の挿入をスムーズに行うことができる。
【００５８】
この状態で、第１カード部材１９を更に矢印方向に挿入すると、図４５、４６に示すように、第１カード部材１９の裏面１９ｂが、第１ガイド部材９の左右の腕部９ｄ及び支持部９ｅを下方に押し下げる。
このことにより、第１ガイド部材９が第２端子部材８及び第１弾性部材１１の付勢力に抗して下方に回動して、略水平状態となる。そのために、第１ガイド部材９に先端部８ｅが支持された第２端子部材８が第１カード部材１９の接触部１９ｃに接触することはない。
【００５９】
また、一方の側縁部１９ｄに押されて切り欠き部１４ｎに位置していた板バネ１６の第１係合部１６ｆは、第１カード部材１９の前端部１９ａが、初期位置にあるスライダー１４の第１当接部１４ｂに当接すると、第１凹部１９ｅに係合して、第１カード部材１９が抜け止めされる。
この状態でから、第１カード部材１９をハウジング２の奥側に更に挿入すると、スライダー１４の前端部１９ａが、ハウジング２の後側壁２ｂに当接し、第１カード部材１９の矢印方向への移動が停止する。
【００６０】
この時の摺動部材１５は、図９、１０に示すカム溝３の底面に形成したＡ面からＢ面及びＣ面を経由してＤ面に位置している。
そして、第１カード部材１９の移動が停止後、第１カード部材１９に加えていた押圧力を解除すると、コイルバネからなる付勢部材１８の付勢力で、スライダー１４がカード挿入口６ｂ方向に戻ろうとするが、この時の摺動部材１５は、Ｄ面からＥ面に移動してロック部３ｂに当接する。
そのために、スライダー１４の動きが規制されてロックされ、図４７、４８に示すように、第１カード部材１９は、カード装着部の第１装着部に装着された装着状態となると共に、第１凹部１９ｅに第１係合部１６ｆが係合しているので第１装着部から抜け止めされる。
前記第１カード部材１９が第１装着部に装着状態となると、複数の第１端子部材７の接点部７ｅが、第１カード部材１９の複数の接触部１９ｃに接触して導通する。
【００６１】
次に、第１装着部に装着した第１カード部材１９を取り出すには、図４７に示す装着状態の第１カード部材１９を、一旦矢印方向に押圧して、図４９に示すように、前端部１９ａを後側壁２ｂに当接させる。すると、ロック部３ｂに位置していた摺動部材１５が、図９、１０に示すＥ面からＦ面に移動して、スライダー１４のロックが解除される。
そして、矢印方向に加えていた押圧力を解除すると、付勢部材１８の付勢力でスライダー１４が自動的にカード挿入口６ｂ方向に移動する。このスライダー１４の移動で第１カード部材１９の前端部１９ａが第１当接部１４ｂに押されて、カード装着部から排出される。
そして、図４５に示すように、スライダー１４が初期位置まで自動復帰すると、ハウジング２の外部に出ている第１カード部材１９の後端部側を把持して引き抜くことにより、板バネ１６の第１係合部１６ｆが弾性変形して第１凹部１９ｅから外れ、ハウジング２から第１カード部材１９を取り出すことができる。
【００６２】
また、カード装着部の第１装着部に装着した第１カード部材１９は、図５０に示すように、カバー１７の２本の第１リブ１７ｆ及び第２リブ１７ｇが上面に摺接するようになっているので、第１カード部材１９とカバー１７と接触面積を小さくして、着脱時の第１カード部材１９とカバー１７との摺動摩擦を小さくすることができる。
また、カード装着部に第１カード部材１９を装着したときは、図５１に示すように、第１、第２、第３ガイド部材９、１０、１２のそれぞれが第１カード部材１９に押されて回動し、正面からは見えないようになっている。
【００６３】
また、本発明のカード用コネクタ装置１に第２カード部材２０を装着する動作を図５２〜図６０に基づいて説明すると、まず、図５２、５３に示すように、第２カード部材２０の前端部２０ａをカード挿入口６ｂに挿入する。
前記第２カード部材２０は、厚さが第１カード部材１９より薄肉に形成されているので、第２カード部材２０の裏面２０ｂが、斜め上方に回動した状態の第２ガイド部材１０に摺動しながら挿入される。
この時の第２ガイド部材１０は、斜め上方に回動して状態となっているので、規制溝１０ｂには、第３ガイド部材１２が位置して動きが規制されている。
【００６４】
そのために、挿入される第２カード部材２０の幅方向は、一方の側縁部２０ｄが第１ガイド壁６ｃより図示下方側に位置ズレしている第２ガイド壁６ｄに案内され、他方の側縁部２０ｈが規制溝１０ｂで動きが規制された第３ガイド部材１２のガイド面１２ｃに案内される。
そのために、第２カード部材２０の幅方向をガタなく高精度にガイドして挿入することができる。
そして、図５４、５５に示すように、初期位置にあるスライダー１４の第２当接部１４ｇに第２カード部材２０の当接部２０ｇが当接すると、同時に第２凹部２０ｅに板バネ１６の第２係合部１６ｊが係合して、第２カード部材２０が抜け止めされる。
更に、図５４、５５に示す状態から、第２カード部材２０を矢印方向に押圧して挿入すると、第２カード部材２０は、前端部２０ａ寄りの他方の側縁部２ｈが第１ガイド部材９の腕部９ｄにガイドされる。
【００６５】
また、第２カード部材２０の当接部２０ｇがスライダー１４の第２当接部１４ｇに当接した状態で、第２カード部材２０を更に挿入する動作で、スライダー１４が押されて奥側にスライドし、第１当接部１４ｂを形成した部分のスライダー１４の外面がハウジング２の後側壁２ｂに当接して、第２カード部材２０の矢印方向の移動が停止する。
この時の摺動部材１５は、図９、１０に示すカム溝３のＡ面からＢ面及びＣ面を経由してＤ面に位置している。
そして、第２カード部材２０の移動が停止後、第２カード部材２０に加えていた押圧力を解除すると、付勢部材１８の付勢力で、スライダー１４がカード挿入口６ｂ方向に戻ろうとするが、この時の摺動部材１５は、Ｄ面からＥ面に移動してロック部３ｂに当接しスライダー１４の移動がストップする。
【００６６】
そのために、スライダー１４の動きが規制され、図５６、５７に示すように、第２カード部材２０は、第２装着部に装着されて装着状態となると共に、第２凹部２０ｅに第２係合部１６ｊが係合しているので第２装着部から抜け止めされる。
前記第２カード部材２０が第２装着部に装着されて抜け止めされると、複数の第２端子部材８の接点部８ｆが、第２カード部材２０の複数の接触部２０ｃに接触して導通する。
【００６７】
このような第２装着部に装着状態の第２カード部材２０を取り出すには、図５６に示す装着状態の第２カード部材２０を、一旦矢印方向に押圧して、図５８に示すように、スライド部材１４の第１当接部１４ｂの外面を後側壁２ｂ側に押圧する。
すると、ロック部３ｂに位置していた摺動部材１５が、図９、１０に示すＥ面からＦ面に移動して、スライダー１４のロックが解除される。
【００６８】
この状態で、第２カード部材２０に加えていた押圧力を解除すると、付勢部材１８の付勢力でスライダー１４がカード挿入口６ｂ方向に自動的に移動して、図５４に示すように、スライダー１４が初期位置まで戻る。
このスライダー１４が初期位置に戻ることで、第２カード部材２０もカード装着部から排出される。
即ち、本発明のカード用コネクタ装置１は、第１、または第２カード部材１９、２０をプッシュ、プッシュ操作することで、カード装着部から着脱することができるようになっているので、操作性が良い。
そして、ハウジング２の外部に出ている第２カード部材２０の後端部側を把持して引き抜くことにより、板バネ１６の第２係合部１６ｊが弾性変形して第２凹部２０ｅから外れ、ハウジング２から第２カード部材２０を取り出すことができる。
【００６９】
また、カード装着部の第２装着部に装着または排出時の第２カード部材２０は、図５９に示すように、カバー１７の２本の第１リブ１７ｆ及び手前側の第２リブ１７ｇが上面に接するので、第２カード部材２０とカバー１７と接触面積を小さくすることができ、着脱時の第２カード部材２０とカバー１７との摺動摩擦を小さくすることができる。
また、カード装着部に第２カード部材２０を装着したときは、図６０に示すように、第２、第３ガイド部材１０、１２のそれぞれが正面から見えるようになっている。
【００７０】
このような本発明のカード用コネクタ装置１の、図６０に示す第２カード部材２０を装着する第２装着部は、図５１に示す第１装着部に装着する第１カード部材１９が第２当接部１４ｇに当接しない方向に位置ズレさせているので、幅寸法、及び厚さ寸法が異なる２種類の第１、第２カード部材１９、２０を、１つのスライダー１４でカード装着部に装着、あるいは排出が可能となっている、
また、第２カード部材２０の第２凹部２０ｅに係合する板バネ１６に形成した第２係合部１６ｊも、第１装着部に装着する第１カード部材１９が当接しない方向に位置ズレさせているので、第１装着部に挿入する第１カード部材１９が第２係合部１６ｊに接触しないので、第１カード部材１９を挿入するときの作業性が良い。
また、第１または第２カード部材１９、２０をカード装着部に装着したカード装着状態（図５０、図５９）において、カード挿入口６ｂからハウジング２の外部に突出する突出量Ｒがほぼ同じに、第１当接部１４ｂと第２当接部１４ｇとの位置が決められている。
【００７１】
【発明の効果】
以上説明したように、本発明のカード用コネクタ装置のは、第２カード部材を装着可能な第２装着部が、第１装着部に挿入する第１カード部材が第２当接部に当接しない方向に位置ズレさせているので、幅広肉厚の第１カード部材と、幅狭肉薄の第２カード部材とを装着でき、しかも、１個のスライダーで第１カード部材と第２カード部材の両方を排出でき、操作性の良いカード用コネクタ装置を提供できる。
【００７２】
また、第１または第２カード部材をカード装着部に装着したカード装着状態において、カード挿入口からハウジング外部に突出する突出量がほぼ同じになるような位置に第１当接部と第２当接部とを形成したので、カード装着時の見栄えが良い。また、操作性も良い。
【００７３】
また、カード装着状態において、第１または第２カード部材を一旦押圧することにより、スライダーのロックが解除されて、スライダーを介してカード装着状態の第１または第２カード部材がカード装着部から排出されるようにしたので、第１または第２カード部材をプッシュ・プッシュ操作で第１または第２カード部材を容易に排出することができ、操作性が良い。
【００７４】
また、カム機構は、ハウジングに形成したハート型のカム溝と、スライダーに一端部が支持され他端部がカム溝に沿って巡回摺動可能な摺動部材とからなるので、カム溝を巡回摺動する摺動部材で、スライダーの動きを規制してロックをしたり、このロックの解除を容易に行うことができる、操作性の良いカード用コネクタ装置を提供できる。
【００７５】
また、摺動部材は、線材の両端部を同方向に直角状に折り曲げて一端部と他端部とを形成したので、摺動部材の製造が容易で安価である。
【００７６】
また、スライダーには、摺動部材の他端部をカム溝の底面に弾性付勢可能な板バネを配設したので、摺動部材を確実にカム溝に沿って摺動させることができる高性能なカム機構を提供できる。
【００７７】
また、スライダーには、奥側に第１凹部に弾性係合可能な第１係合部と、手前側に第２凹部に弾性係合可能な第２係合部とをそれぞれ形成したので、装着部に装着した第１または第２カード部材を抜け止めすることができ、操作性が良い。
【００７８】
また、第２係合部は、第１装着部に挿入する第１カード部材が当接しない方向に位置ズレさせているので、第１装着部に装着する第１カード部材が第２係合部に接することがなく、第１カード部材の挿入性が良い。
【００７９】
また、第１及び第２係合部は、摺動部材を弾性付勢する板バネの一部を折り曲げて形成したので、１枚の板バネに第１及び第２係合部を一体形成することができ、組立性が良い。
【図面の簡単な説明】
【図１】本発明のカード用コネクタ装置の構成を説明する図である。
【図２】本発明のカード用コネクタ装置の構成を説明する図である。
【図３】本発明のカード用コネクタ装置の構成を説明する図である。
【図４】本発明に係わるハウジングを説明する図である。
【図５】本発明に係わるハウジングを説明する図である。
【図６】本発明に係わるハウジングを説明する図である。
【図７】本発明に係わるハウジングを説明する図である。
【図８】本発明に係わるハウジングを説明する図である。
【図９】本発明に係わるハウジングを説明する図である。
【図１０】本発明に係わるハウジングを説明する図である。
【図１１】本発明に係わるハウジングを説明する図である。
【図１２】本発明に係わる第１端子部材を説明する図である。
【図１３】本発明に係わる第１端子部材を説明する図である。
【図１４】本発明に係わる第１端子部材を説明する図である。
【図１５】本発明に係わる第２端子部材を説明する図である。
【図１６】本発明に係わる第２端子部材を説明する図である。
【図１７】本発明に係わる第２端子部材を説明する図である。
【図１８】本発明に係わる第１ガイド部材を説明する図である。
【図１９】本発明に係わる第１ガイド部材を説明する図である。
【図２０】本発明に係わる第１ガイド部材を説明する図である。
【図２１】本発明に係わる第１ガイド部材を説明する図である。
【図２２】本発明に係わる第２ガイド部材を説明する図である。
【図２３】本発明に係わる第２ガイド部材を説明する図である。
【図２４】本発明に係わる第１弾性部材を説明する図である。
【図２５】本発明に係わる第１弾性部材を説明する図である。
【図２６】本発明に係わる第１弾性部材を説明する図である。
【図２７】本発明に係わる第３ガイド部材を説明する図である。
【図２８】本発明に係わる第３ガイド部材を説明する図である。
【図２９】本発明に係わる第３ガイド部材を説明する図である。
【図３０】本発明に係わる第２弾性部材を説明する図である。
【図３１】本発明に係わる第２弾性部材を説明する図である。
【図３２】本発明に係わるスライダーを説明する図である。
【図３３】本発明に係わるスライダーを説明する図である。
【図３４】本発明に係わるスライダーを説明する図である。
【図３５】本発明に係わるスライダーを説明する図である。
【図３６】本発明に係わる摺動部材を説明する図である。
【図３７】本発明に係わる板バネを説明する図である。
【図３８】本発明に係わる板バネを説明する図である。
【図３９】本発明に係わるカバーを説明する図である。
【図４０】本発明に係わるカバーを説明する図である。
【図４１】本発明に係わる第１カード部材を説明する図である。
【図４２】本発明に係わる第２カード部材を説明する図である。
【図４３】本発明に係わる第１カード部材の装着動作を説明する図である。
【図４４】本発明に係わる第１カード部材の装着動作を説明する図である。
【図４５】本発明に係わる第１カード部材の装着動作を説明する図である。
【図４６】本発明に係わる第１カード部材の装着動作を説明する図である。
【図４７】本発明に係わる第１カード部材の装着動作を説明する図である。
【図４８】本発明に係わる第１カード部材の装着動作を説明する図である。
【図４９】本発明に係わる第１カード部材の装着動作を説明する図である。
【図５０】本発明に係わる第１カード部材の装着動作を説明する図である。
【図５１】本発明に係わる第１カード部材の装着動作を説明する図である。
【図５２】本発明に係わる第２カード部材の装着動作を説明する図である。
【図５３】本発明に係わる第２カード部材の装着動作を説明する図である。
【図５４】本発明に係わる第２カード部材の装着動作を説明する図である。
【図５５】本発明に係わる第２カード部材の装着動作を説明する図である。
【図５６】本発明に係わる第２カード部材の装着動作を説明する図である。
【図５７】本発明に係わる第２カード部材の装着動作を説明する図である。
【図５８】本発明に係わる第２カード部材の装着動作を説明する図である。
【図５９】本発明に係わる第２カード部材の装着動作を説明する図である。
【図６０】本発明に係わる第２カード部材の装着動作を説明する図である。
【符号の説明】
１　本発明のカード用コネクタ装置
２　ハウジング
２ａ　後部底壁
２ｅ　開口部
２ｆ　第１ガイド壁
２ｇ　第２ガイド壁
２ｊ　前部底壁
３　カム溝
４　端子ガイド部
５　ガイド支持部
６　前側壁
７　第１端子部材
８　第２端子部材
９　第１ガイド部材
１０　第２ガイド部材
１１　第１弾性部材
１２　第３ガイド部材
１３　第２弾性部材
１４　スライダー
１５　摺動部材
１６　板バネ
１７　カバー
１８　付勢部材
１９　第１カード部材
１０　第２カード部材
【図１】
2004062715.tif 000003
【図２】
2004062715.tif 000004
【図３】
2004062715.tif 000005
【図４】
2004062715.tif 000006
【図５】
2004062715.tif 000007
【図６】
2004062715.tif 000008
【図７】
2004062715.tif 000009
【図８】
2004062715.tif 000010
【図９】
2004062715.tif 000011
【図１０】
2004062715.tif 000012
【図１１】
2004062715.tif 000013
【図１２】
2004062715.tif 000014
【図１３】
2004062715.tif 000015
【図１４】
2004062715.tif 000016
【図１５】
2004062715.tif 000017
【図１６】
2004062715.tif 000018
【図１７】
2004062715.tif 000019
【図１８】
2004062715.tif 000020
【図１９】
2004062715.tif 000021
【図２０】
2004062715.tif 000022
【図２１】
2004062715.tif 000023
【図２２】
2004062715.tif 000024
【図２３】
2004062715.tif 000025
【図２４】
2004062715.tif 000026
【図２５】
2004062715.tif 000027
【図２６】
2004062715.tif 000028
【図２７】
2004062715.tif 000029
【図２８】
2004062715.tif 000030
【図２９】
2004062715.tif 000031
【図３０】
2004062715.tif 000032
【図３１】
2004062715.tif 000033
【図３２】
2004062715.tif 000034
【図３３】
2004062715.tif 000035
【図３４】
2004062715.tif 000036
【図３５】
2004062715.tif 000037
【図３６】
2004062715.tif 000038
【図３７】
2004062715.tif 000039
【図３８】
2004062715.tif 000040
【図３９】
2004062715.tif 000041
【図４０】
2004062715.tif 000042
【図４１】
2004062715.tif 000043
【図４２】
2004062715.tif 000044
【図４３】
2004062715.tif 000045
【図４４】
2004062715.tif 000046
【図４５】
2004062715.tif 000047
【図４６】
2004062715.tif 000048
【図４７】
2004062715.tif 000049
【図４８】
2004062715.tif 000050
【図４９】
2004062715.tif 000051
【図５０】
2004062715.tif 000052
【図５１】
2004062715.tif 000053
【図５２】
2004062715.tif 000054
【図５３】
2004062715.tif 000055
【図５４】
2004062715.tif 000056
【図５５】
2004062715.tif 000057
【図５６】
2004062715.tif 000058
【図５７】
2004062715.tif 000059
【図５８】
2004062715.tif 000060
【図５９】
2004062715.tif 000061
【図６０】
2004062715.tif 000062